【手続補正書】
【提出日】平成17年6月22日(2005.6.22)
【手続補正１】
【補正対象書類名】明細書
【補正対象項目名】発明の名称
【補正方法】変更
【補正の内容】
【発明の名称】拡張装置
【手続補正２】
【補正対象書類名】明細書
【補正対象項目名】特許請求の範囲
【補正方法】変更
【補正の内容】
【特許請求の範囲】
【請求項１】
電子機器が取り外し可能に載置される載置部を有するベースと、
上記ベースの内部に収容されたファンユニットと、を具備し、
上記ベースは、
上記載置部に形成され、上記ベース内に開口する開口部と、
上記開口部と向かい合う底部と、
上記底部のうち上記開口部と向かい合う部分に互いに間隔を存して設けられた複数の凸部と、を備えていることを特徴とする拡張装置。
【請求項２】
請求項１の記載において、上記ファンユニットは、上記開口部の内側に配置されて、上記載置部に載置された電子機器に向けて冷却用空気を送風するとともに、上記凸部は、上記ファンユニットを取り囲むように互いに間隔を存して配置されていることを特徴とする拡張装置。
【請求項３】
請求項２の記載において、上記ファンユニットは、モータ駆動のファンを有するとともに、このファンの回転軸線を上記開口部を通る鉛直線に対し傾斜させた姿勢で上記ベースに支持されていることを特徴とする拡張装置。
【請求項４】
請求項１ないし請求項３のいずれかの記載において、上記ベースは、上記載置部の周縁に連なる側壁を有し、また、上記載置部は、上記開口部に連なる溝状の空気通路を有し、この空気通路は上記側壁に開口されていることを特徴とする拡張装置。
【請求項５】
底壁と、この底壁と向かい合うとともに電子機器が取り外し可能に載置される載置部と、を有するベースを備えており、
上記ベースは、
上記載置部に形成された第１の開口部と、
上記底壁に形成され、上記第１の開口部と対向し合う第２の開口部と、
上記第１の開口部と上記第２の開口部との間に配置された冷却用のファンユニットと、を具備したことを特徴とする拡張装置。
【請求項６】
請求項５の記載において、上記ベースは、上記第２の開口部の周囲に互いに間隔を存して配置された複数の凸部を有し、これら凸部は、上記第１の開口部の方向に突出することを特徴とする拡張装置。
【手続補正３】
【補正対象書類名】明細書
【補正対象項目名】０００１
【補正方法】変更
【補正の内容】
【０００１】
【発明の属する技術分野】
本発明は、ポータブルコンピュータのような携帯が可能な電子機器に接続して使用する拡張装置に関する。
【手続補正４】
【補正対象書類名】明細書
【補正対象項目名】００１３
【補正方法】変更
【補正の内容】
【００１３】
本発明は、このような事情にもとづいてなされたもので、電子機器の冷却性能を確保しつつ、異物の侵入に伴うトラブルを未然に防止できる拡張装置の提供を目的とする。
【手続補正５】
【補正対象書類名】明細書
【補正対象項目名】００１４
【補正方法】変更
【補正の内容】
【００１４】
【課題を解決するための手段】
上記目的を達成するため、本発明の一つの形態に係る拡張装置は、
電子機器が取り外し可能に載置される載置部を有するベースと、上記ベースの内部に収容されたファンユニットと、を備えている。
上記ベースは、
上記載置部に形成され、上記ベース内に開口する開口部と、
上記開口部と向かい合う底部と、
上記底部のうち上記開口部と向かい合う部分に互いに間隔を存して設けられた複数の凸部と、を備えていることを特徴としている。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
このような構成において、ベースの載置部から電子機器を取り外すと、この載置部上の開口部がベースの外方に露出する。そのため、誤ってクリップのような異物を載置部の上に落としてしまうと、異物が開口部を通じてベースの内部に落下する虞があり得る。
【手続補正８】
【補正対象書類名】明細書
【補正対象項目名】００１７
【補正方法】変更
【補正の内容】
【００１７】
しかるに、上記構成によれば、開口部に異物が入り込むと、この異物は凸部で囲まれた領域に落下するとともに、これら凸部に引っ掛かって上記領域に止まる。そのため、万一異物がベース内に落下したとしても、この異物がベースの奥方に入り込むことはなく、異物の侵入に伴うショートや拡張装置の誤動作を未然に防止することができる。
【手続補正９】
【補正対象書類名】明細書
【補正対象項目名】００１８
【補正方法】変更
【補正の内容】
【００１８】
また、凸部は互いに離れているので、ファンユニットの動作に伴う冷却用空気の流れが凸部によって妨げられることはない。それとともに、開口部の口径を異物が入り込まないように敢えて小さくする必要もなく、開口部を通過する冷却用空気の流通抵抗を小さく抑えることができる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
上記目的を達成するため、本発明の他の形態に係る拡張装置は、
底壁と、この底壁と向かい合うとともに電子機器が取り外し可能に載置される載置部と、を有するベースを備えている。
上記ベースは、
上記載置部に形成された第１の開口部と、
上記底壁に形成され、上記第１の開口部と対向し合う第２の開口部と、
上記第１の開口部と上記第２の開口部との間に配置された冷却用のファンユニットと、を具備したことを特徴としている。
【手続補正１６】
【補正対象書類名】明細書
【補正対象項目名】００２５
【補正方法】変更
【補正の内容】
【００２５】
このような構成において、ベースの載置部から電子機器を取り外すと、この載置部上の第１の開口部がベースの外方に露出する。そのため、誤ってクリップのような異物を載置部の上に落としてしまうと、異物が第１の開口部を通じてベースの内部に落下する虞があり得る。
【手続補正１７】
【補正対象書類名】明細書
【補正対象項目名】００３２
【補正方法】変更
【補正の内容】
【００３２】
また、図４に示すように、筐体５の内部には、ＭＰＵ１３が収容されている。ＭＰＵ１３は、筐体５の後部において、底壁５ａに隣接した位置に配置されている。このＭＰＵ１３は、文字、音声および画像のような多用のマルチメディア情報を処理するため、動作中の消費電力が大きくなっており、それに伴い、ＭＰＵ１３の発熱量も冷却を必要とする程に大きなものとなっている。
【手続補正１８】
【補正対象書類名】明細書
【補正対象項目名】００５３
【補正方法】変更
【補正の内容】
【００５３】
また、載置面３２の略中央部には、図５に示すような多数の吸気孔５７がマトリクス状に並べて配置されている。これら吸気孔５７は、載置面３２上の隙間３３に開口するとともに、上記ベース３０の内部に連なっている。
【手続補正１９】
【補正対象書類名】明細書
【補正対象項目名】００７６
【補正方法】変更
【補正の内容】
【００７６】
さらに、開口部の開口面積を充分に確保して、この開口部を通過する冷却用空気の流通抵抗を充分に小さく抑えることができ、電子機器の冷却性能を良好に維持することができる。
【手続補正２０】
【補正対象書類名】明細書
【補正対象項目名】符号の説明
【補正方法】変更
【補正の内容】
【符号の説明】
１…電子機器（ポータブルコンピュータ）、３０…ベース、３０ａ…底部（底壁）、３１…載置部、５２…開口部、第１の開口部（排気口）、６１…ファンユニット、７１…凸部、１００…第２の開口部（通孔）。